(57)【要約】  移動式直立起立補助器具（１）によってリフトされる患者の膝及び下腿を位置決め及び支持するための可撓性の支持膜（８）である。膜（８）は、シートに形成された伸縮性材料から作製されており、シートは、患者の膝によって印加される圧力に基づいて、それ自体を調節する。そのうえ、それは、患者の膝及び脛をカバーするように成形されており、また、使用時に患者の膝の付近に配置されるように適合されている頂部縁部（２８）と、使用時に患者の足首の付近に配置されるように適合されている底部縁部（２９）と、底部縁部（２９）と頂部縁部（２８）との間に延在する第１及び第２の側方縁部（２６、２７）とを含む。可撓性の支持膜（８）は、それが、シートの頂部縁部（２８）と底部縁部（２９）との間に側方縁部（２６、２７）によって画定される方向に沿って延在する中央セクション（１９）及び２つの周辺セクション（２０、２１）を有しており、周辺セクション（２０、２１）は、膝が作用させる圧力によって窪み、これにより膝を載せるための沈降部を形成することによって、患者の２つの膝のうち一方をそれぞれ支持するように適合されており、中央セクション（１９）は、２つの隣接する周辺セクション（２０、２１）よりも硬くなっており、可撓性の支持膜（８）の使用中に、中央セクション（１９）が周辺セクション（２０、２１）よりも小さく変形し、膝をそれらの沈降部それぞれの中に互いに分離された状態に維持するバリアとして作用するようになっていることを特徴とする。
2020521542.tif 000002
【特許請求の範囲】
【請求項１】
移動式直立起立補助器具（１）によってリフトされている患者の膝及び下腿を位置決め及び支持するための可撓性の支持膜（８）であって、可撓性の前記支持膜（８）は、シートに形成された伸縮性材料から作製されており、前記シートは、前記患者の前記膝によって印加される圧力に基づいて、前記シート自体を調節するようになっており、前記支持膜（８）は、前記患者の前記膝及び脛をカバーするように成形されており、可撓性の前記支持膜（８）は、
使用時に前記患者の前記膝の付近に配置されるように適合されている頂部縁部（２８）と、
使用時に前記患者の足首の付近に配置されるように適合されている底部縁部（２９）と、
前記底部縁部（２９）と前記頂部縁部（２８）との間に延在している第１の側方縁部及び第２の側方縁部（２６、２７）と、
を備えている、可撓性の支持膜（８）において、
可撓性の前記支持膜（８）は、前記シートの前記頂部縁部（２８）と前記底部縁部（２９）との間において前記第１の側方縁部及び前記第２の側方縁部（２６、２７）によって画定される方向に沿って延在している中央セクション（１９）及び２つの周辺セクション（２０、２１）を有しており、
前記周辺セクション（２０、２１）は、前記膝が作用させる前記圧力によって窪み、これにより膝を載せるための沈降部を形成することによって、前記患者の２つの膝のうち一方の膝を支持するようにそれぞれ適合されており、
前記中央セクション（１９）は、２つの隣接する前記周辺セクション（２０、２１）より高剛性であり、これにより可撓性の前記支持膜（８）の使用中に、前記中央セクション（１９）の変形量が前記周辺セクション（２０、２１）の変形量より小さく、前記膝が前記沈降部それぞれの中で互いから分離された状態を維持するためのバリアとして作用することを特徴とする、可撓性の支持膜（８）。
【請求項２】
前記支持膜（８）の厚さは、前記底部縁部（２９）から前記頂部縁部（２８）に至るまで徐々に且つ一様に増加する、請求項１に記載の可撓性の支持膜（８）。
【請求項３】
前記支持膜（８）は、シリコーンから形成されている、請求項１又は２に記載の可撓性の支持膜（８）。
【請求項４】
前記支持膜（８）は、ポリウレタン、熱可塑性ポリウレタン（ＴＰＵ）、熱可塑性エラストマー（ＴＰＥ）、ゴム、又はゴム状材料から形成されている、請求項１又は２に記載の可撓性の支持膜（８）。
【請求項５】
可撓性の前記支持膜（８）は、可撓性の前記支持膜（８）を脚部支持フレーム（７）に取り付けるための第１の側方支持要素及び第２の側方支持要素（２２、２３）をさらに含み、
前記第１の側方支持要素（２２）は、前記第１の側方縁部（２６）に取り付けられており、
前記第２の側方支持要素（２３）は、前記第２の側方縁部（２７）に取り付けられており、
前記第１の側方支持要素及び前記第２の側方支持要素（２２、２３）はそれぞれ、径方向に突出しているストッパ（２４、２５）を備えており、前記ストッパ（２４、２５）は、前記支持膜（８）が前記脚部支持フレーム（７）に取り付けられた場合に下方へ滑動することを防止する、請求項１から４のいずれか一項に記載の可撓性の支持膜（８）。
【請求項６】
前記第１の側方支持要素（２２）の前記ストッパ（２４）、及び、前記第２の側方支持要素（２３）の前記ストッパ（２５）は、前記脚部支持フレーム（７）に取り付けられている際における前記支持膜（８）の不適正なアライメントを防止するために、異なる形状を有している、請求項５に記載の可撓性の支持膜（８）。
【請求項７】
前記周辺セクション（２０、２１）それぞれは、前記患者の膝の正しい位置決めを容易にするために、例えば特定の色のような視覚的インジケータを有している、請求項１から６のいずれか一項に記載の可撓性の支持膜（８）。
【請求項８】
前記中央セクション（１９）の剛性は、前記中央セクション（１９）が前記周辺セクション（２０、２１）と比較して厚肉であることに起因して、前記中央セクション（１９）より高い、請求項１から７のいずれか一項に記載の可撓性の支持膜（８）。
【請求項９】
脚部支持フレーム（７）であって、
請求項５に記載の可撓性の支持膜（８）と、
可撓性の前記支持膜（８）を前記脚部支持フレーム（７）に固定するために、前記第１の側方支持要素及び前記第２の側方支持要素（２２、２３）をそれぞれ受け入れるための長手方向のスロット（３４、３５）をそれぞれ備えている第１の側方保持具及び第２の側方保持具（３０、３１）と、
前記第１の側方保持具及び前記第２の側方保持具（３０、３１）を支持するブリッジ要素（３２）であって、前記ブリッジ要素（３２）と前記第１の側方保持具及び前記第２の側方保持具（３０、３１）とは、前記脚部支持フレーム（７）の任意の構成要素と接触しないで前記支持膜（８）を屈曲させることができる膜変形スペース（Ｓ）を画定している、前記ブリッジ要素（３２）と、
前記脚部支持フレーム（７）を移動式直立起立補助器具（１）に固定するための接続要素（３３）と、
を備えている、脚部支持フレーム（７）。
【請求項１０】
前記脚部支持フレーム（７）は、可撓性の前記支持膜（８）の下方において前記脚部支持フレーム（７）に取り付けられている下腿ストラップ（９）であって、可撓性及び伸縮性を有している材料から作製されている前記下腿ストラップ（９）をさらに備えており、
前記下腿ストラップ（９）は、前記支持膜（８）に対する足部の両向きの横方向移動を防止するために、可撓性の前記支持膜（８）の直近に前記患者の脚部を固定するように構成されている、請求項９に記載の脚部支持フレーム（７）。
【請求項１１】
前記下腿ストラップ（９）は、シリコーン、ポリウレタン、熱可塑性ポリウレタン（ＴＰＵ）、熱可塑性エラストマー（ＴＰＥ）、ゴム、又はゴム状材料から形成されている、請求項１０に記載の脚部支持フレーム（７）。
【請求項１２】
前記下腿ストラップ（９）は、前記脚部支持フレーム（７）の両側部において取付点（３６、３７）に装着されている、請求項１０又は１１に記載の脚部支持フレーム（７）。
【請求項１３】
移動式患者直立起立補助器具（１）であって、
水平な踏板（１２）を具備するベース（２）と、
前記ベース（２）から上向きに延在しているマスト（３）であって、操縦ハンドル（６）を具備する前記マスト（３）と、
前記移動式患者直立起立補助器具（１）の降下位置と上昇位置との間において弧状に移動するように、前記マスト（３）に回動可能に連結されているリフティングアーム（４）であって、スリング取付点（１１）と患者ハンドル（１０）とを具備する前記リフティングアーム（４）と、
前記リフティングアーム（４）を移動させるために前記マスト（３）と前記リフティングアーム（４）との間に配置されている任意のアクチュエータ（５）と、
を備えている前記移動式患者直立起立補助器具（１）において、
前記移動式患者直立起立補助器具（１）が、請求項９から１２のいずれか一項に記載の脚部支持フレーム（７）をさらに備えている、移動式患者直立起立補助器具（１）。
【請求項１４】
患者の脚部を脚部支持フレームに、特に請求項９から１２のいずれか一項に記載の脚部支持フレーム（７）に固定するための脚部ストラップ（９）において、
前記脚部ストラップ（９）は、可撓性及び／又は伸縮性を有している材料から作製されている、脚部ストラップ（９）。
【請求項１５】
前記材料は、シリコーン、ポリウレタン、熱可塑性ポリウレタン（ＴＰＵ）、熱可塑性エラストマー（ＴＰＥ）、ゴム、若しくはゴム状材料、又はそれらの組合せであるか、又は、それらを含む、請求項１４に記載の脚部ストラップ（９）。
【請求項１６】
前記脚部ストラップ（９）は、前記脚部ストラップの第１の端部と第２の端部との間に延在しているベルトの形態とされる、請求項１４又は１５に記載の脚部ストラップ（９）。
【請求項１７】
前記第１の端部及び前記第２の端部それぞれは、前記第１の端部及び前記第２の端部それぞれを前記脚部支持フレーム（７）の取付点（３６、３７）に装着するための少なくとも１つの装着要素、特に穴を備えている、請求項１６に記載の脚部ストラップ（９）。
【請求項１８】
請求項１３に記載の移動式患者直立起立補助器具（１）を使用することによって、患者を着座位置から直立位置にリフトするための方法であって、
前記患者を前記移動式患者直立起立補助器具（１）に固定するステップと、
前記リフティングアーム（４）を前記リフティングアーム（４）の前記降下位置から前記上昇位置に弧状に移動させることによって、前記患者を前記着座位置から前記直立位置へ移行させるように、前記アクチュエータ（５）を作動させるステップと、
を備えている、方法。
【請求項１９】
移動式患者直立起立補助器具（１）であって、
水平な踏板（１２）を含むベース（２）と、
前記ベース（２）から上向きに延在しているマスト（３）であって、操縦ハンドル（６）を具備する前記マスト（３）と、
前記移動式患者直立起立補助器具（１）の降下位置と上昇位置との間において弧状に移動するように、前記マスト（３）に回動可能に連結されているリフティングアーム（４）であって、前記リフティングアーム（４）は、スリング取付点（１１）と患者ハンドル（１０）とを具備する前記リフティングアーム（４）と、
請求項１０から１２のいずれか一項に記載の下腿ストラップ（９）と、
を備えている、移動式患者直立起立補助器具（１）。
【請求項２０】
可撓性の前記支持膜をさらに備えている、請求項１９に記載の移動式患者直立起立補助器具（１）。
【請求項２１】
可撓性の前記支持膜は、請求項１から８のいずれか一項に記載の可撓性の支持膜である、請求項２０に記載の移動式患者直立起立補助器具（１）。
【発明の詳細な説明】
【技術分野】
【０００１】
本開示は、患者リフト補助器具、患者起立補助器具、又は患者直立補助器具などの、患者ハンドリングデバイスの一部を形成することが可能であるか、又は、それとともに使用され得る、可撓性の支持膜に関する。
【背景技術】
【０００２】
運動機能に制限のある人が着座位置から直立位置へ起立させられ、その後近くに、たとえば、ベッドから車椅子へ、又は、車椅子からトイレへ移送されるケースにおいて、移動式直立起立補助器具（mobile standing and raising aids）が使用される。そのような移動式直立起立補助器具は、ほとんどの場合、病院、老人ホーム、又は、他のヘルスケア施設において使用されている。
【０００３】
さまざまなタイプの移動式直立起立補助器具が知られている。例は、ハーネス及び立ち上がりサポート（sit-to-stand support）を含む。そのような移動式直立起立補助器具は、通常、ホイールを含み、補助器具をベッドへ便利に接近させることを容易にする。
【０００４】
高い安定性及びロバスト性を有する補助器具を提供するために、それらは、リジッドで硬質の非可撓性の材料から作製されており、それは、不快感、擦り傷、皮膚裂傷、又は打撲傷を引き起こす可能性がある。
【０００５】
とりわけ、そのような補助器具は、典型的に、フットサポート及び膝パッドも含み、それらは、患者を適当な開始位置にガイドすることを助け、また、立ち上がる移動の間に患者の脚部を適正に整合された状態に維持することを助ける。
【０００６】
患者が直立位置に起立するときに、膝、脛、又は足首が、サポートパッドに押し付けられ、起立する際に患者を支援する。多くの場合、かなりの圧力が、患者の膝、脛、又は足首によってパッドの上に印加される。したがって、そのようなパッドは、典型的に、発泡体又は軟質プラスチックの中にカバーされた金属プレートから構築されている。しかし、これらの脚部パッド又は膝パッドの硬質のサポート材料は、膝及び膝頭の上に応力を集中させ、軟質の被覆にもかかわらず快適でない可能性がある。
【０００７】
特許文献１は、改善された脚部支持体を説明しており、これらの欠点を克服することを目標とし、スタンドアシストリフトに除去可能に取り付けられ得る伸縮性材料から作製された可撓性の膜を含む。この出願の図１から図３は、患者１２の膝を支持する際に使用するための、及び、とりわけ、着座位置から直立位置へ起立するように患者１２を支援するための、脚部支持体として構成されている膜１８を含むサポート１０を図示している。
【０００８】
先行技術に対して改善しているが、この参考文献は、患者の膝それぞれの独立したフレキシビリティーをカスタマイズ及び可能にする設計を企図していない。とりわけ、自然の距離が膝同士及び下腿同士の間に維持され、膝崩れ又は膝座屈（膝が一緒に滑動し、起立運動の間の安定性喪失、痛み、又は障害を結果として生じさせる）を回避する支持膜を生成させる必要性が存在している。そのような崩れ及び座屈は、患者にとって不快である可能性があり、彼らが起立移動に参加すること、並びに、彼らの脚部によって上向き及び外向きに押すことに参加することを妨げる。そのうえ、患者の脚部がそのような崩れ又は座屈から弱くなる場合には、フットサポートから下向きに滑動するリスクが存在する。
【先行技術文献】
【特許文献】
【０００９】
【特許文献１】米国特許出願公開第２０１６／０１８４１５１号明細書
【発明の概要】
【発明が解決しようとする課題】
【００１０】
したがって、本開示の目的は、可撓性の膜の設計を改善し、立ち上がる移動の間に患者の下腿の安全で十分な位置決め及び支持を保証することである。
【００１１】
改善された可撓性の支持膜は、より自然で、より痛みが少なく、安全な方式で、患者が持ち上げる移動に積極的に参加することを可能にすることができる。
【００１２】
本出願は、本明細書で説明されているような可撓性の支持膜、脚部ストラップ、及び／又は患者ハンドリングデバイスを提供することによって、これらの問題を解決する。
【課題を解決するための手段】
【００１３】
本開示の例示的な実施形態によれば、マルチセクション構造を有する可撓性の支持膜であって、マルチセクション構造は、２つの周辺セクションの間に設置されている中央セクションを含み、前記中央セクションは、２つの隣接する周辺セクションよりも高い剛性を示す、可撓性の支持膜が提供される。中央の分離セクションを備えたそのような特定の膜設計は、立ち上がる移動の間に、患者の脚部が別個に及び互いに独立して支持されることを可能にする。
【００１４】
本開示の例示的な実施形態によれば、周辺セクションの材料は、起立移動の間に、患者の膝及び患者の下腿の接触部分に一致して支持するのに十分に弾性的になっている。周辺セクションの膝領域において（そこでは、最も高い押圧力が膜に印加される）、膝を載せるための沈降部（knee cradling depression）が形成される。これらの凸面は、印加された力の方向に沿って進行し、リフトされている患者の下腿全体を最後に収容する。周辺セクションにおける膜の低い弾性率は、それぞれの患者の膝及びそれぞれの下腿が膝を載せるための沈降部の中に完全に又は実質的に収容されることを可能にするが、中央セクションにおける膜のより高い弾性率は、このゾーンが本質的に又は実質的にピンと張った状態、真っ直ぐな状態、及び／又は、伸ばされていない状態に留まることを保証する。このように、互いに向けて膝が滑動すること、及び、結果として生じる膝と膝との間の接触が、十分に防止され得るだけでなく、患者が自分の足を後退させるか又は真っ直ぐにするときに、患者の脚部と脚部との間の自然な距離が、立ち上がる移動の間に確立されて保たれることとなる。この特定のセクション配置は、その幅を横切る可撓性の支持膜の変化する伸び特性とともに、患者の脚部の快適な位置決め及び支持を可能にする。
【００１５】
可撓性の支持膜の例示的な実施形態は、特許請求の範囲の中に、及び、本開示の全体を通して説明されている。
【００１６】
また、本開示は、請求項９に記載の脚部支持フレームに関し（請求項１０から１２に詳述された特別な実施形態を伴う）、また、請求項１３に記載の移動式患者直立起立補助器具に関し、また、請求項１４から１７のいずれか一項に記載の脚部ストラップに関し、また、請求項１８に記載の方法に関する。
【００１７】
本開示は、添付の図面を参照して以降で説明されることとなり、添付の図面は、単なる非限定的な例として与えられている。
【図面の簡単な説明】
【００１８】
【図１】本開示の１つの実施形態による、患者の膝及び下腿を支持するように構成されている可撓性の支持膜を含む例示的な移動式直立起立補助器具の斜視図である。
【図２】図１の移動式直立起立補助器具の可撓性の支持膜の斜視図である。
【図３】図２の可撓性の支持膜の拡大正面図である。
【図４】図２及び図３の可撓性の支持膜を保持するように構成されている脚部支持フレームの斜視図である。
【図５】図４の脚部支持フレームの側方保持具の断面図であり、可撓性の支持膜の側方支持要素が前記側方保持具の中のスロットの中へ挿入されていることを示す図である。そのうえ、示されているのは、側方支持要素の形状を明瞭にする拡大側面図である。
【図６】図１の移動式直立起立補助器具を使用して立ち上がる移動の間の、可撓性の支持膜に対する患者の膝及び下腿の位置を示す斜視図である。
【図７】図１の移動式直立起立補助器具の第１及び第２の側方図（右側及び左側）である。
【図８】図１の移動式直立起立補助器具の第１及び第２の側方図（右側及び左側）である。
【図９】図１、図７、及び図８の移動式直立起立補助器具の斜視図である。
【図１０】図１及び図７〜図９の移動式直立起立補助器具の正面図である。
【図１１】図１及び図７〜図１０の移動式直立起立補助器具の背面図である。
【図１２】図１及び図７〜図１１の移動式直立起立補助器具の上面図である。
【図１３】とりわけ、踏板を示す、図１及び図７〜図１２の移動式直立起立補助器具の図である。
【図１４】図２〜図３の可撓性の支持膜を保持するように構成されている脚部支持フレームの斜視図である。
【図１５】図１４の脚部支持フレームの側方保持具の断面図であり、可撓性の支持膜の側方支持要素が前記側方保持具の中のスロットの中へ挿入されていることを示す図である。
【図１６】図１５の側方保持具の拡大断面図である。
【図１７】可撓性の支持膜及び下腿ストラップを保持するように構成されている、図１４の脚部支持フレームの斜視図である。
【図１８】可撓性の支持膜及び下腿ストラップを保持するように構成されている、図１４の脚部支持フレームの斜視図である。
【図１９】図１７及び図１８の脚部支持フレームに取り付けられている下腿ストラップの斜視図である。
【図２０】図１９の下腿ストラップを装着するための側方保持具の上の取付点を示す、図１７〜図１８の脚部支持フレームの斜視図である。
【発明を実施するための形態】
【００１９】
以降での説明の目的のために、「上側」、「下側」、「右側」、「左側」、「垂直方向」、「水平方向」、「上部」、「底部」、「横方向」、「長手方向」という用語、及び、それらの派生語は、図の中の配向に関するものとする。しかし、本発明は、反対のことが明示的に特定されている場合を除いて、代替的な変形例及びステップシーケンスをとることが可能であるということが理解されるべきである。また、添付の図面に図示され、以下の明細書に説明されている特定のシステム及びプロセスは、単に本発明の例示的な例に過ぎないということが理解されるべきである。したがって、本明細書で開示されている例に関係付けられる特定の寸法及び他の物理的な特質は、限定するものとして考慮されるべきではない。
【００２０】
本開示は、着座位置から直立位置の間で移動するときに、人の膝及び下腿を配向及び／又は支持するための位置決めシステムに関する。１つの例示的な実施形態では、位置決めシステムは、たとえば、移動式直立起立補助器具を使用して、直立位置への移動の間に患者の膝及び下腿を位置決め及び支持するために使用され得る可撓性の膜を含む。この脚部支持膜は、伸縮性であるだけではなく、１つの実施形態では、最大で２００ｋｇなどの、患者の体重を担持するために十分な荷重支承特性を有するように設計されている。
【００２１】
随意的に、位置決めシステムは、ストラップをさらに含むことが可能であり、ストラップは、膝レストに対して患者の下腿を固定及び位置決めするように構成及び配向され得る。別の例示的な実施形態では、位置決めシステムは、人の下腿を固定及び／又は位置決めするための足首ストラップを含む。随意的に、足首ストラップは、膝レストと動作可能に関連付けられ得、膝レストに対して人の膝をしっかりと位置決めするようになっている。位置決めシステムは、限定されるものではないが、起立補助器具、直立補助器具、又は患者リフトなどの、患者ハンドリングデバイスの一部であることが可能である。例示的な実施形態では、本開示は、患者のリフト、直立、起立、及び／又は輸送を容易にするための患者ハンドリングデバイスに関し、デバイスは、マスト、リフティングアーム、及び膝レストを含む。例示的な実施形態では、リフティングアーム及び／又は膝レストは、自然な立ち上がりの患者移動を誘導するように位置決め及び配置されている。
【００２２】
本開示の可撓性の膜は、単数の材料から作製され得、又は、多層及び／若しくはマルチコンポーネント構造を有することが可能であり、その構造体は、少なくとも部分的に伸縮性である。ほとんどの実施形態において、膜は、所与の荷重の下で選択されたセクションにおいて所与の量だけ伸びることとなり、そのような荷重を超えて可撓性のままであることとなるということが想像される。そのうえ、１つの実施形態では、本膜は、耐引き裂き材料から作製されており、鋭い物体との接触の後でもその機能を保つ。
【００２３】
例示的な実施形態では、着座位置から直立位置への移動の間に、膜を恒久的に変形させることなく、患者の膝及び脚部によって力が印加されるときに、膜は、十分な厚さ、引張強度、及び、伸びるために適当な弾性率を有している。
【００２４】
本発明における脚部支持膜は、１つの場所から別の場所へ、たとえば、椅子、車椅子、ベッドサイド、浴室、シャワー／移動式便器椅子、又はトイレへ、及び／又は、それらから、患者／居住者をリフト及び移送するように、病院、老人ホーム、介護付き住宅及びグループホーム、並びにホームケア施設の中の介護者を支援することが意図された移動式直立起立補助器具などの、患者ハンドリングデバイスの一部であることが可能である。
【００２５】
本開示の１つの例示的な実施形態による、患者の膝及び下腿を支持するように構成されている１つのそのような移動式直立起立補助器具が、図１に示されている。移動式直立起立補助器具は、全体的に、参照番号１によって特定されており、ベース２と、ベース２から上向きに延在するマスト３と、マスト３に回動可能に連結されているリフティングアーム４と、アクチュエータ５及び操縦ハンドル６とを含み、アクチュエータ５及び操縦ハンドル６もマスト３に取り付けられている。
【００２６】
そのうえ、図１は、脚部支持フレーム７を図示しており、可撓性の支持膜８及び下腿ストラップ９が、脚部支持フレーム７に接続されている。脚部支持フレーム７は、マスト３から延在しており、マスト３に取り付けられており、踏板１２の直近にリフティングアーム４の下に位置決めされている。
【００２７】
図１に図示されているベース２は、患者の足部の適正な位置決めのための水平な踏板１２を含み、それは、２つの調節可能なシャーシ脚部１３及び１４の間に配置されており、また、補助器具１を移動させることを容易にする２対のキャスター、すなわち、２つのフロントキャスター１５及び１６並びに２つの後方に配置されているキャスター１７及び１８（キャスター１８が、図７、図９、図１１、及び図１２に見られ得る）の間に配置されている。
【００２８】
加えて、前記キャスター１５〜１８は、患者のリフト手順の間に起立及び直立補助器具１を固定するためのブレーキを装備していることが可能である。補助器具の制御パネル又はハンドコントロール４４の上の適当なボタンを操作することによって、調節可能なシャーシ脚部１３及び１４は、リフティングステップの前に踏板１２に安全に近付き、患者の足部の直近に踏板１２を位置決めするために、任意の可変の幅に開けられ得る。
【００２９】
操縦ハンドル６は、介護者が補助器具１を引っ張ること、延いては、持ち上げられた患者を移送することを可能にする。
【００３０】
アクチュエータ５は、補助器具１の降下位置から上昇位置へ、最大９０°の円弧トラックの上でリフティングアーム４を駆動するために使用される。図１及び図７〜図９に示されているように、補助器具１の降下位置は、たとえば、ベッド又は椅子の上に座っている人が、リフティングアーム４のハンドル１０に届くことができるように構成されている。
【００３１】
移動式直立起立補助器具１のコンポーネント、たとえば、ベース２、マスト３、リフティングアーム４、シャーシ脚部１３及び１４、又は、ハンドル６及び１０などは、従来のロバストでリジッドの材料、たとえば、金属、スチール、又はアルミニウムなどから形成され、高い構造的強度を提供することが可能である。
【００３２】
例示的な実施形態では、リフティングアーム４及び／又は可撓性の支持膜８は、着席位置から直立位置へ患者を起立させることを容易にするように配置されている。１つの実施形態では、リフティングアーム４は、回動点においてマスト３の周りを回転し、回動点は、支持膜８に隣接して位置決めされ得る。１つの実施形態では、リフティングアーム４の回動点は、踏板１２又はベース２の上方に、約９３３ｍｍ（＋／−１．００）にあり、とりわけ、９２０ｍｍから９４０ｍｍの範囲にある。別の実施形態では、可撓性の部材８の上側端部は、踏板１２又はベース２の上方に、約６２２ｍｍ（＋／−１．００）にあり、とりわけ、約６１０ｍｍから約６３０ｍｍの例示的な範囲にある。１つの実施形態では、リフティングアーム４は、約５１０ｍｍ（＋／−１．００）の長さ、とりわけ、約５００ｍｍから約５２０ｍｍの例示的な範囲の中の長さを有し、マスト３及び／又はリフティングアーム４の回動点から延在することが可能である。１つの実施形態では、踏板１２及び／又はベース２からの回動点の高さとリフティングアームの長さとの比は、約２．５：１から約１．５：１である。１つの実施形態では、踏板１２及び／又はベース２に対する回動点の距離は、約９３３ｍｍ（＋／−１．００）であることが可能である。１つの実施形態では、踏板１２及び／又はベース２に対する可撓性の支持膜８の上側遠位端部の距離は、約６２２ｍｍ（＋／−１．００）であることが可能であり、とりわけ、約６００ｍｍから約６５０ｍｍの間の例示的な範囲の中にあることが可能である。１つの実施形態では、マスト３及び／又は回動点から延在するリフティングアーム４の長さは、約５１０ｍｍ（＋／−１．００）であることが可能である。１つの実施形態では、マスト３からの脚部支持膜８の距離は、約２８０ｍｍ（＋／−１．００）であることが可能である。１つの実施形態では、リフティングアーム４及び可撓性の支持膜８がマスト３から突出している相対的な長さ又は距離は、約２．５：１から約１．５：１、又は、約２：１から約１．７５：１であることが可能である。１つの例示的な実施形態では、リフトアーム、回動点、可撓性の支持膜８の相対的な割合及び／又は相対的な位置決めは、着席位置から直立位置への患者の自然な移動及び位置決めを容易にするように配置され得る。
【００３３】
リフティングアーム４は、１対のスリング取付点１１をさらに含む。これらの取付点１１は、スリング４０の取り付けループ、ストラップ、又は締結具を受け入れる及び／又は固定するために、リフティングアーム４の２つのブランチ又はアーム部材の端部に配設され得、スリング４０は、患者の一部分に巻き付けるように構成され、たとえば、患者の上半身の背中に巻き付けるように構成され、図６のリフトプロセスの間の背部サポートを提供するようになっている。
【００３４】
図２及び図３を参照すると、これらは、患者の膝及び下腿を位置決め及び支持する際に使用するために、並びに、とりわけ、リフターを使用して患者が着座位置から直立位置へ起立することを支援するために、脚部支持体として構成されている可撓性の支持膜８の例示的な実施形態を示している。
【００３５】
図２は、可撓性の支持膜８のセクション配置を図示している。この膜８は、中央セクション１９並びに２つの周辺セクション２０及び２１を含み、２つの周辺セクション２０及び２１は、それぞれ、その右側及び左側において、中央セクション１９に隣接して配置されている。周辺セクション２０、２１は、患者が着席位置と直立位置との間で移動するときに、膝が支持膜８に作用させる圧力によって窪むことによって、患者の脚部それぞれ１つに対して屈曲し、支持し、及び一致するように設計されている。セクション２０及び２１は、十分に可撓性であり、膝を載せるための沈降部を形成することができる。対照的に、中央セクション１９は、２つの隣接する周辺セクション２０、２１よりも硬くて伸縮性がないように設計されている。この構造的設計に起因して、中央セクション１９は、患者の膝と膝との間の自然の境界として機能する。それは、補助器具１の使用中に、それらを互いに分離された状態に維持し、また、それらの屈曲された膜８それぞれの沈降部の中にそれらを正確に位置決めされた状態に維持する。
【００３６】
また、この構造は、左側及び右側の周辺セクション２０及び２１が互いに独立して伸びて屈曲することを可能にし、患者の膝及び脚部それぞれのために、特定のカスタマイズされたサポートを提供する。１つの実施形態では、セクション２０及び２１それぞれは、約９．５０Ｎ／ｍｍ２のさまざまな弾性率、とりわけ、約９Ｎ／ｍｍ２から約１０Ｎ／ｍｍ２の範囲の中にあるさまざまな弾性率を有している。膜材料は、６０若しくは約６０の硬度ｓｈｏｒｅ  Ａ、及び／又は、約１．１６ｇ／ｃｍ３の密度、及び／又は、約４８Ｎ／ｍｍの引き裂き強度を有することが可能である。
【００３７】
１つの実施形態では、左側及び右側の周辺セクション２０は、それらの下側部分それぞれよりもそれらの上側部分それぞれにおいて、フレキシビリティー及び／又はデュロメーターに対してより大きい抵抗を提供することが可能である。
【００３８】
１つの実施形態では、セクション２０及び２１は、その本体部に沿って厚さ方向にテーパーが付いており、セクション２０及び２１の上側部分が、その上側端部において最大厚さを有するようになっており、それは、セクション２０及び２１の下側部分又は下側端部における、より小さい厚さへとテーパーが付いている。
【００３９】
例示的な実施形態では、セクション２０及び２１の上側部分の弾性率及び厚さは、それぞれ、約９．５０Ｎ／ｍｍ２、とりわけ、約９Ｎ／ｍｍ２から約１０Ｎ／ｍｍ２の例示的な範囲の中にあることが可能であり（弾性率）、約２．００ｍｍ（＋／−０．２５）から約３．９７ｍｍ（＋／−０．２５）であることが可能である（厚さ）。例示的な実施形態では、セクション２０及び２１の下側部分の弾性率及び厚さは、それぞれ、約９．５０Ｎ／ｍｍ２、とりわけ、約９Ｎ／ｍｍ２から約１０Ｎ／ｍｍ２の例示的な範囲の中にあることが可能であり、約２．００ｍｍ（＋／−０．２５）から約２．５０ｍｍ（＋／−０．２５）、又は、約１．８ｍｍから約２．５ｍｍの間にあることが可能である。
【００４０】
例示的な実施形態では、膜８のセクション１９は、また、それぞれ、約９．５０Ｎ／ｍｍ２の範囲にわたり、とりわけ、約９Ｎ／ｍｍ２から約１０Ｎ／ｍｍ２の例示的な範囲の中において、及び、セクション１９の上側端部から下側端部へ延在する約６．８７ｍｍ（＋／−０．２５）から約５．０７ｍｍ（＋／−０．２５）の範囲の中において、可変の又は一様な弾性率及び厚さを有することが可能である。１つの実施形態では、セクション１９に対するセクション２０、２１の弾性率は、約１以下であることが可能である。
【００４１】
１つの実施形態では、セクション２１、２０の上側部分の弾性率及び伸び率又は伸縮率と、セクション２０、２１、及び１９の下側部分のものとの比は、約１：１．２５から約１：３；約１：１．５から約１：２；又は約１：１．７５から約１：２であることが可能である。
【００４２】
１つの実施形態では、可撓性の部材８、１９〜２１のすべてのセクションに関して、及び、脚部ストラップ９に関して使用される材料は、同じであることが可能である。１つの実施形態では、可撓性の部材８、１９〜２１及び脚部ストラップ９は、シリコーンなどのエラストマー材料から構築されている。伸び／弾性率の変化は、上側部分２８及び下側部分２９を含む、可撓性の部材８のさまざまなセクションの厚さを変化させることによって実現され得る。足首ストラップ厚さは、約４ｍｍ＋／−０．５ｍｍであることが可能であり、弾性率は、約９．５０Ｎ／ｍｍ２であることが可能である。
【００４３】
そのうえ、図３は、例示的な可撓性の支持膜８の拡大正面図を示しており、可撓性の支持膜８は、使用時に患者の膝の付近に配置されるように適合されている頂部縁部２８と；使用時に患者のふくらはぎ及び／又は足首の付近に配置されるように適合されている底部縁部２９と；底部縁部２９と頂部縁部２８との間に延在する第１及び第２の側方縁部２６及び２７とを含む。
【００４４】
本開示の１つの実施形態では、膜８は、シートの形態で提供されており、長方形の構成を有している。また、可撓性の支持膜８のセクション１９〜２１も、長方形の構成を有することが可能である。加えて、膜８の周辺セクション２０及び２１は、幅広い範囲の異なるサイズの患者の膝及び脛全体を収容するのに十分な幅及び長さを有するように設計され得る。
【００４５】
膜８は、シリコーンなどのエラストマー材料、又は、特定の量の摩擦を提供する同様の材料から形成され得、それは、立ち上がる移動の間の患者の滑りを防止することを助けることが可能である。そのうえ、膜に作用する力によって、膜がより少なく又はより多く伸びることとなるということを所与として、支持膜８の可撓性の性質は、任意の調節を行う必要なく、異なる患者によってサポートが使用されることを可能にすることができる。そのようなタイプの材料は、身体の形状に輪郭付けされ得、患者の膝に対して屈曲することができない、皮膚を刺激する硬い織物又は硬質プラスチックよりも著しく良好にそれを行う。
【００４６】
本開示のいくつかの実施形態では、膜８のセクション１９〜２１は、中央セクション１９と隣接する周辺セクション２０、２１との間を直感的に区別する目的のために、特定の色、エレメント、又は透明性グレードなどの視覚的インジケータを提供され得、膜８に対する患者の脚部の位置決めを簡単化するようになっている。
【００４７】
図２及び図３の膜８は、第１及び第２の側方支持要素２２、２３をさらに含み、第１及び第２の側方支持要素２２、２３は、それぞれ、膜８の第１及び第２の側方縁部２６、２７と一体化されており、その一部を形成しており、及び／又は、その他の方法でそれに取り付けられているか若しくは連結されている。
【００４８】
図２及び図３に示されているように、側方支持要素２２、２３は、第１及び第２のストッパ２４、２５をそれぞれ含むことが可能であり、第１及び第２のストッパ２４、２５は、それぞれ、側方支持要素２２、２３を脚部支持フレーム７に固定するために、たとえば、支持要素２２、２３の上部に配置され得る。１つの実施形態では、ストッパ２４、２５は、図２及び図３に示されているような脚部支持フレーム７の対応する取り付け部分よりも大きい幅、直径、又はプロファイルを有する、径方向に突出した構成を有することが可能である。ストッパ２４、２５は、患者の起立手順の間に補助器具１に取り付けられている脚部支持フレーム７の中の膜８の事前設定位置を固定するように機能する。
【００４９】
側方支持要素２２、２３は、図１に示されている移動式直立起立補助器具１の脚部支持フレーム７に膜８を取り付けるための中間エレメントを提供する接続手段として作用する。
【００５０】
１つの実施形態では、側方支持要素２２、２３、及び、脚部支持フレーム７の対応する連結エレメントは、マスト３に対して凹形の湾曲した構成を有することが可能である。例示的な実施形態では、側方支持要素２２、２３、及び、脚部支持フレーム７の対応する連結エレメントは、アーチ形の構成を有しており、アルミニウム押出の半径は、約７６０．５０ｍｍ（＋／−０．２５）であり、約７５０ｍｍから約７７０ｍｍの間の例示的な範囲の中にあることが可能である。可撓性の支持部材８が脚部支持フレーム７に連結されると、可撓性の支持部材８は、ピンと張った状態に引っ張られており、脚部支持フレーム７のものと同じ凹形の湾曲した構成を有している。１つの実施形態では、可撓性の支持部材８は、脚部支持フレーム７との連結の前に、脚部支持フレーム７のもののような湾曲した凹形構成を有するように事前調整される。別の実施形態では、可撓性の支持部材８の湾曲した凹形構成は、フレーム７によって形成され、部材８が同様に構成された脚部支持フレーム７に連結された後に実現される。１つの実施形態では、フレーム７は、マスト３からフレーム７へ延在する横断方向の装着バーを介してマスト３に接続されている。装着バーは、膜８から間隔を離して配置され得、装着バー又は他の膜８支持部材による妨害なしに、患者の膝がセクション２０、２１に対抗して自由に屈曲することを可能にする。例示的な実施形態では、装着バーは、少なくとも約５０ｍｍから約１００ｍｍの距離、約２５ｍｍから約７５ｍｍの距離、又は、約５０ｍｍから約１５０ｍｍの距離だけ、膜８から間隔を離して配置されている。
【００５１】
側方支持要素２２、２３は、バー、ストラット、ロッド、又は同様のエレメントとして構成され得、ストッパ２４、２５は、たとえば、正方形、丸形、又は楕円形の断面を有する円筒状の形状又は構成を有することが可能である。
【００５２】
いくつかの実施形態では、第１の側方エレメント２２の第１のストッパ２４は、第２の側方エレメント２３の第２のストッパ２５とは異なる形状、たとえば、高さ、幅、又は半径などを有することが可能である。膜８の２つの横方向の側部の異なるストッパ形状は、脚部支持フレーム７の中への可撓性の膜の挿入の間の正しい設置及び／又は連結のインジケータとして作用し、膜８が正しい配向で脚部支持フレーム７の中へ挿入されることを保証する。
【００５３】
図３に提示されている１つの特別な実施形態では、第１の側方エレメント２２の第１のストッパ２４は、３０ｍｍの高さ（Ａ）を有しており、一方、第２の側方エレメント２３の第２のストッパ２５は、２０ｍｍの高さ（Ｂ）を有している。
【００５４】
可撓性の支持膜８は、側方支持要素２２と２３との間に位置決めされ、側方支持要素２２、２３に直接的に接続され得、膜８が、脚部支持フレーム７の中へ挿入されたときに、張力下においてピンと張った状態に保持されるようになっている。
【００５５】
本開示の１つの例示的な実施形態では、側方支持要素２２と２３との間の距離（中心間のフレーム距離）は、おおよそ５２０ｍｍ（＋／−１．５ｍｍ）に等しくなっており、一方、シリコーン膜８は、約４９０ｍｍ（＋／−２．４６）の幅を有しており、可撓性の材料を真っ直ぐに維持するために、脚部支持フレーム７に取り付けられた可撓性の膜８に３０ｍｍの事前の引き伸ばしが加えられるようになっている。
【００５６】
加えて、図３の膜８は、より厚い頂部縁部２８からより薄い底部縁部２９へ一様にテーパーの付いた変化する厚さを有している。換言すれば、厚さは、側方支持要素２２、２３によって画定される方向に沿って変化し、それは、膜８が脚部支持フレーム７に装着されているときに、垂直方向である。したがって、示されている膜８は、膝領域において最も大きい厚さを示し、皮膚がより敏感な脛接触ゾーンにおいて最も小さい厚さを示す。
【００５７】
他の実施形態では、伸縮性の膜８は、たとえば、中央セクションにおいて、及び、患者の膝が図６に示されているように膜に押し付けられることが意図される周辺セクション２０、２１の頂部縁部２８の付近に、より厚い材料又はいくつかの層のゾーンなどの、構造的補強を提供され得る。
【００５８】
本開示の例示的な実施形態では、膜８の頂部縁部２８は、３．９７ｍｍの厚さ「Ｃ」を有しており、一方、底部縁部２９は、２．００ｍｍの厚さ「Ｄ」を有している（図３）。
【００５９】
図４は、図２及び図３の可撓性の支持膜８を図１の移動式直立起立補助器具１に取り付けるように構成されている例示的な脚部支持フレーム７の斜視図を示している。
【００６０】
１つの実施形態によれば、脚部支持フレーム７は、ブラケットとして構成され得、ブラケットは、第１及び第２の側方保持具３０、３１と、可撓性の膜８から間隔を離して配置され、第１及び第２の側方保持具３０及び３１を支持するブリッジ要素３２と、脚部支持フレームを補助器具１に固定するための接続要素３３とを含む。
【００６１】
図４、図５及び図１５、図１６に図示されているように、第１及び第２の側方保持具３０、３１それぞれは、長手方向のスロット３４、３５を含み、長手方向のスロット３４、３５は、可撓性の膜８を脚部支持フレーム７に固定するために、それぞれ、第１及び第２の側方支持要素２２及び２３を受け入れるように構成されている。
【００６２】
スロット３４、３５は、それぞれのストッパ２４、２５によって側方支持要素２２、２３を収容するように精密に調整され得る。スロット３４、３５及び側方支持要素２２、２３は、相補的な形状を有しており、それらがリジッドの荷重支承構築体を提供するように接合するようになっている。
【００６３】
ブリッジ要素３２は、第１及び第２の側方保持具３０、３１を支持している。そのうえ、ブリッジ要素３２は、保持具３０、３１とともに、Ｕ字形状又はＣ字形状の構成を有することが可能であり、ブリッジ要素３２は、膜変形スペース（Ｓ）を画定しており、脚部支持フレーム７の任意の構成要素と接触することなく、又は、それと最小にしか接触することなく、膜８が屈曲することを可能にする。
【００６４】
図４及び図１７〜図２０に示されている例示的な実施形態では、ブリッジ要素３２は、湾曲した形状を有している。しかし、他のフレーム形態も適用され得、それは、膜８が自立型シートとして構成されることを可能にし、自立型シートは、その側方縁部２６、２７のみにおいて取り付けられており、使用中に、フレームアッセンブリ７のコンポーネントが、膜８の動作側の直ぐ後ろには配設されず、又は、膜８の動作側に接触しないようになっている。
【００６５】
図４を参照すると、脚部支持フレーム７は、随意的に、下腿ストラップ９を装着するために、第１及び第２の側方保持具３０、３１の上に、取付点又は取り付けエレメント３６及び３７をさらに含む。１つの実施形態では、脚部ストラップ９は、脚部支持フレーム７及び／若しくは膜８と一体的になっているか、その一部を形成しているか、又は、それに取り付けられている。１つの実施形態では、脚部ストラップ９は、締結エレメントを介して脚部支持フレーム７及び／又は膜８に取り外し可能に連結され得、締結エレメントは、取付点３６及び３７に除去可能に接続され得る。例示的な実施形態では、取付点３６及び３７は、ラッチ、フック、ノブ、スナップなどとして構成されており、脚部ストラップ９は、取付点３６、３７に連結するための対応するストラップ穴、開口部、スナップ、又は締結具を有することが可能である。図６及び図２０の例示的な実施形態に示されているように、脚部ストラップ９が取付点３６、３７の締結具エレメントにしっかりと引っ掛けられ、取り付けられ、及びその他の方法で連結され得るように、フレーム７に連結されているときに、取付点３６、３７は、脚部ストラップ９の長さとは異なる平面の中に、フレーム７の対向する側部に沿って位置決めされ得る。
【００６６】
図１、図６、図９〜図１１、並びに、図１４〜図１５及び図１７〜図１８に示されている例示的な実施形態では、下腿ストラップ９は、この膜の直近に患者の脚部を固定するために、可撓性の支持膜８の下方においてフレーム７に取り付けられており、立ち上がる移動の間の足部の両方の横向きの移動を防止する。
【００６７】
使用中に、ストラップ９は、患者のふくらはぎの下側部に対抗して調節可能に設置され、図６及び図１３の踏板１２からの患者の足部の滑りを防止することが可能である。１つの実施形態では、取付点３６、３７に対する脚部支持フレーム７の長さ、緊張状態、又は接続は、それぞれの患者のためにカスタマイズされた快適でカスタマイズされた安全な取り付けを保証するように調節され得る。たとえば、フレーム７若しくは部材８の両側部の複数の取付点３６、３７、及び／又は、脚部ストラップ９の複数の締結エレメントは、フレーム７及び／又は膜８に対する脚部ストラップ９の調節を可能にするために存在することが可能である。
【００６８】
下腿ストラップ９は、シリコーンなどの、可撓性及び伸縮性を有している材料から作製され得、それが患者の脚部の上により等しく力を分配することができるようになっている。そのうえ、それは、皮膚を切る可能性がある鋭い縁部を有していない。加えて、脚部ストラップ９は、拭き取り可能な又は洗濯可能な材料から作製され得る。
【００６９】
下腿ストラップ９は、補助器具１の上に保管され得る。それは、可撓性の支持膜８の直ぐ下方に設置されて伸ばされ得、それが、使用されていないときに邪魔にならないようになっている。
【００７０】
例示的な実施形態では、脚部ストラップ９は、ベルトとして構成され得、ベルトは、バックルによって、それが滑動することを防止するベルトの上のストップによって、又は、ノブの中へ入る穴によって、脚部支持フレーム７に取り付けられ得る。
【００７１】
図６は、図１の移動式直立起立補助器具１を使用した立ち上がる移動の間の、可撓性の支持膜８に対する患者の膝及び下腿の位置を示す斜視図である。膜８は、患者の膝及び脛全体を支持するようにサイズ決めされており、側方サポートフレーム７に取り付けられており、それがこの移動の間に患者の脚部によって働かされる力を担うことができ、快適なサポートを提供するように伸びることができるようになっている。
【００７２】
ここで、例として、及び、とりわけ、図１及び図６を参照して、説明されている移動式直立起立補助器具１がどのように使用され得るかということが図示される。
【００７３】
初期には、患者は、着座位置にあり、補助器具１が、患者の前に移動させられる。患者の足部が、踏板１２の上に位置決めされる。患者の膝は、通常、真っ直ぐに前に向いており、患者の脛が、可撓性の膜８の表面に接触することが可能である。下腿ストラップ９が、患者の下側ふくらはぎの周りに結び付けられる。脚部ストラップ９は、患者３８の滑りの可能性を低減させることを助ける。
【００７４】
リフティングアーム４の取付点１１に取り付けられている一方の端部を有するスリング４０が、図６に示されているように、患者の上半身の周りに設置されており、スリング４０の他方の端部が、次いで、リフティングアーム４の取付点１１に取り付けられる。代替的に、スリング４０の両方の端部は、緩くなっていることが可能であり、それらは、スリング４０が患者３８の周りに設置された後に、それぞれの取付点１１に取り付けられ得る。スリング４０は、患者３８を補助器具１に固定することを助け、リフトの間に患者のためのサポートを提供する。そのうえ、スリング４０は、患者３８が踏板１２から落下するリスクを低減させることを助ける。
【００７５】
上記に説明されているステップによって、患者は、補助器具１に安全に固定され得る。しかし、説明されているステップは、別のシーケンスで実施され得る。
【００７６】
アクチュエータ５は、ＤＣモーターであることが可能であり、アクチュエータ５は、伸長可能なシリンダー４１を含み、伸長可能なシリンダー４１は、図１０及び図１１に示されているようなコントローラー４４によって命令されるように、外側シリンダー４２の中を伸長及び後退することが可能である。伸長可能なシリンダー４１の上側端部は、図６に示されているように、ロッド４３に回動可能に連結されている。ロッド４３は、マスト３及びリフティングアーム４を相互接続している。ロッド４３及びリフティングアーム４は、単一のピースから、又は、別個のピースから作製され得る。図１及び図６に示されているように、ロッド４３の一方の端部は、リフティングアーム４に固定して接続されており、一方、他方の端部は、マスト３に回動可能に連結されており、それによって、リフティングアーム４の弧状の移動のための回動軸線４８を画定する。
【００７７】
アクチュエータ５は、活性化させられるときに、伸長可能なシリンダー４１の上向きの移動を引き起こし、それは、リフティングアーム４の上向きの弧状の移動を引き起こす。これは、着座位置から直立位置へ患者を移行させる。図６は、立ち上がる移動の過程の中間位置を示している。
【００７８】
リフト手順の間に、スリング４０は、患者３８を直立位置にリフトすることを支援する。また、補助器具１は、患者３８が立ち上がる手順の間に両方の脚部をゆっくりと伸長させることを助けることができるので有利である。そのうえ、可撓性の支持膜８は、膝によって印加される圧力に基づいて、周辺セクション２０、２１の中で伸びることが可能であり、したがって、患者３８が頭をつま先の上方に置き、自然な立ち上がる移動パターンにしたがうことを可能にする。起立させられるときに、患者３８は、補助器具１の背後に位置決めされている介護者３９によって、補助器具１の上に快適に移送され得る。伸長可能なシリンダー４１の移動を逆にすることによって、リフティングアーム４の下向きの弧状の移動が開始させられ、患者３８が着座位置へ復帰するように移行され得る。
【００７９】
要約すると、現在の移動式患者直立起立補助器具は、とりわけ、以下の利点を有している。
その単一の可撓性の膜８によって（それは、中央の膝分離セクション１９を特徴とする）、患者は、安全に及び快適に起立させられ得る。また、患者は、自分の脚部の上に押すことによって、起立移動に参加することが可能である。
膜のフレキシビリティーのおかげで、患者は、立ち上がるときに、自分の頭を自分のつま先の上方に置くことが可能であり、それは、手順を大いに容易にする。
可撓性の膜は、「フリーサイズの」エレメントであり、それは、任意の高さ及び幅の調節の必要なしに、幅広い範囲の患者サイズ及び体重に適切である。これは、２つの調節可能な膝パッドを有する以前の解決策と比較して、明確な利点である。
【００８０】
本開示は、現在最も実践的で例示的な実施形態であると考えられるものに基づいて、図示の目的のために詳細に説明されてきたが、そのような詳細は単にその目的のためのものに過ぎないということ、及び、本発明は、開示されている実施形態に限定されるのではなく、対照的に、添付の特許請求の範囲の精神及び範囲の中にある修正例及び均等物の範囲をカバーすることが意図されているということが理解されるべきである。たとえば、本開示は、可能な限り、任意の実施形態の１つ又は複数の特徴が、任意の他の実施形態の１つ又は複数の特徴と組み合わせられ得るということを企図するということが理解されるべきである。
【符号の説明】
【００８１】
１  移動式直立起立補助器具
２  ベース
３  マスト
４  リフティングアーム
５  アクチュエータ
６  操縦ハンドル
７  脚部支持フレーム
８  可撓性の支持膜、可撓性の支持部材
９  下腿ストラップ
１０  患者ハンドル
１１  スリング取付点
１２  踏板
１３、１４  シャーシ脚部
１５、１６、１７、１８  キャスター
１９  中央セクション
２０、２１  周辺セクション
２２  第１の側方支持要素
２３  第２の側方支持要素
２４  第１のストッパ
２５  第２のストッパ
２６  第１の側方縁部
２７  第２の側方縁部
２８  上側部分、頂部縁部
２９  下側部分、底部縁部
３０  第１の側方保持具
３１  第２の側方保持具
３２  ブリッジ要素
３３  接続要素
３４、３５  長手方向のスロット
３６、３７  取り付けエレメント
３８  患者
３９  介護者
４０  スリング
４１  伸長可能なシリンダー
４２  外側シリンダー
４３  ロッド
４４  コントローラー
４８  回動軸線
【図１】
2020521542.tif 000003
【図２】
2020521542.tif 000004
【図３】
2020521542.tif 000005
【図４】
2020521542.tif 000006
【図５】
2020521542.tif 000007
【図６】
2020521542.tif 000008
【図７】
2020521542.tif 000009
【図８】
2020521542.tif 000010
【図９】
2020521542.tif 000011
【図１０】
2020521542.tif 000012
【図１１】
2020521542.tif 000013
【図１２】
2020521542.tif 000014
【図１３】
2020521542.tif 000015
【図１４】
2020521542.tif 000016
【図１５】
2020521542.tif 000017
【図１６】
2020521542.tif 000018
【図１７】
2020521542.tif 000019
【図１８】
2020521542.tif 000020
【図１９】
2020521542.tif 000021
【図２０】
2020521542.tif 000022
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
移動式直立起立補助器具（１）によってリフトされている患者の膝及び下腿を位置決め及び支持するための可撓性の支持膜（８）であって、可撓性の前記支持膜（８）は、シートに形成された伸縮性材料から作製されており、前記シートは、前記患者の前記膝によって印加される圧力に基づいて、前記シート自体を調節するようになっており、前記支持膜（８）は、前記患者の前記膝及び脛をカバーするように成形されており、可撓性の前記支持膜（８）は、
使用時に前記患者の前記膝の付近に配置されるように適合されている頂部縁部（２８）と、
使用時に前記患者の足首の付近に配置されるように適合されている底部縁部（２９）と、
前記底部縁部（２９）と前記頂部縁部（２８）との間に延在している第１の側方縁部及び第２の側方縁部（２６、２７）と、
を備えている、可撓性の支持膜（８）において、
可撓性の前記支持膜（８）は、前記シートの前記頂部縁部（２８）と前記底部縁部（２９）との間において前記第１の側方縁部及び前記第２の側方縁部（２６、２７）によって画定される方向に沿って延在している中央セクション（１９）及び２つの周辺セクション（２０、２１）を有しており、
前記周辺セクション（２０、２１）は、前記膝が作用させる前記圧力によって窪み、これにより膝を載せるための沈降部を形成することによって、前記患者の２つの膝のうち一方の膝を支持するようにそれぞれ適合されており、
前記中央セクション（１９）は、２つの隣接する前記周辺セクション（２０、２１）より高剛性であり、これにより可撓性の前記支持膜（８）の使用中に、前記中央セクション（１９）の変形量が前記周辺セクション（２０、２１）の変形量より小さく、前記膝が前記沈降部それぞれの中で互いから分離された状態を維持するためのバリアとして作用することを特徴とする、可撓性の支持膜（８）。
【請求項２】
前記支持膜（８）の厚さは、前記底部縁部（２９）から前記頂部縁部（２８）に至るまで徐々に且つ一様に増加する、請求項１に記載の可撓性の支持膜（８）。
【請求項３】
前記支持膜（８）は、シリコーンから形成されている、請求項１又は２に記載の可撓性の支持膜（８）。
【請求項４】
前記支持膜（８）は、ポリウレタン、熱可塑性ポリウレタン（ＴＰＵ）、熱可塑性エラストマー（ＴＰＥ）、ゴム、又はゴム状材料から形成されている、請求項１又は２に記載の可撓性の支持膜（８）。
【請求項５】
可撓性の前記支持膜（８）は、可撓性の前記支持膜（８）を脚部支持フレーム（７）に取り付けるための第１の側方支持要素及び第２の側方支持要素（２２、２３）をさらに含み、
前記第１の側方支持要素（２２）は、前記第１の側方縁部（２６）に取り付けられており、
前記第２の側方支持要素（２３）は、前記第２の側方縁部（２７）に取り付けられており、
前記第１の側方支持要素及び前記第２の側方支持要素（２２、２３）はそれぞれ、径方向に突出しているストッパ（２４、２５）を備えており、前記ストッパ（２４、２５）は、前記支持膜（８）が前記脚部支持フレーム（７）に取り付けられた場合に下方へ滑動することを防止する、請求項１から４のいずれか一項に記載の可撓性の支持膜（８）。
【請求項６】
前記第１の側方支持要素（２２）の前記ストッパ（２４）、及び、前記第２の側方支持要素（２３）の前記ストッパ（２５）は、前記脚部支持フレーム（７）に取り付けられている際における前記支持膜（８）の不適正なアライメントを防止するために、異なる形状を有している、請求項５に記載の可撓性の支持膜（８）。
【請求項７】
前記周辺セクション（２０、２１）それぞれは、前記患者の膝の正しい位置決めを容易にするために、例えば特定の色のような視覚的インジケータを有している、請求項１から６のいずれか一項に記載の可撓性の支持膜（８）。
【請求項８】
前記中央セクション（１９）の剛性は、前記中央セクション（１９）が前記周辺セクション（２０、２１）と比較して厚肉であることに起因して、前記中央セクション（１９）より高い、請求項１から７のいずれか一項に記載の可撓性の支持膜（８）。
【請求項９】
脚部支持フレーム（７）であって、
請求項５に記載の可撓性の支持膜（８）と、
可撓性の前記支持膜（８）を前記脚部支持フレーム（７）に固定するために、前記第１の側方支持要素及び前記第２の側方支持要素（２２、２３）をそれぞれ受け入れるための長手方向のスロット（３４、３５）をそれぞれ備えている第１の側方保持具及び第２の側方保持具（３０、３１）と、
前記第１の側方保持具及び前記第２の側方保持具（３０、３１）を支持するブリッジ要素（３２）であって、前記ブリッジ要素（３２）と前記第１の側方保持具及び前記第２の側方保持具（３０、３１）とは、前記脚部支持フレーム（７）の任意の構成要素と接触しないで前記支持膜（８）を屈曲させることができる膜変形スペース（Ｓ）を画定している、前記ブリッジ要素（３２）と、
前記脚部支持フレーム（７）を移動式直立起立補助器具（１）に固定するための接続要素（３３）と、
を備えている、脚部支持フレーム（７）。
【請求項１０】
前記脚部支持フレーム（７）は、可撓性の前記支持膜（８）の下方において前記脚部支持フレーム（７）に取り付けられている下腿ストラップ（９）であって、可撓性及び伸縮性を有している材料から作製されている前記下腿ストラップ（９）をさらに備えており、
前記下腿ストラップ（９）は、前記支持膜（８）に対する足部の両向きの横方向移動を防止するために、可撓性の前記支持膜（８）の直近に前記患者の脚部を固定するように構成されている、請求項９に記載の脚部支持フレーム（７）。
【請求項１１】
前記下腿ストラップ（９）は、シリコーン、ポリウレタン、熱可塑性ポリウレタン（ＴＰＵ）、熱可塑性エラストマー（ＴＰＥ）、ゴム、又はゴム状材料から形成されている、請求項１０に記載の脚部支持フレーム（７）。
【請求項１２】
前記下腿ストラップ（９）は、前記脚部支持フレーム（７）の両側部において取付点（３６、３７）に装着されている、請求項１０又は１１に記載の脚部支持フレーム（７）。
【請求項１３】
移動式患者直立起立補助器具（１）であって、
水平な踏板（１２）を具備するベース（２）と、
前記ベース（２）から上向きに延在しているマスト（３）であって、操縦ハンドル（６）を具備する前記マスト（３）と、
前記移動式患者直立起立補助器具（１）の降下位置と上昇位置との間において弧状に移動するように、前記マスト（３）に回動可能に連結されているリフティングアーム（４）であって、スリング取付点（１１）と患者ハンドル（１０）とを具備する前記リフティングアーム（４）と、
前記リフティングアーム（４）を移動させるために前記マスト（３）と前記リフティングアーム（４）との間に配置されている任意のアクチュエータ（５）と、
を備えている前記移動式患者直立起立補助器具（１）において、
前記移動式患者直立起立補助器具（１）が、請求項９から１２のいずれか一項に記載の脚部支持フレーム（７）をさらに備えている、移動式患者直立起立補助器具（１）。
【請求項１４】
請求項１３に記載の移動式患者直立起立補助器具（１）を使用することによって、患者を着座位置から直立位置にリフトするための方法であって、
前記患者を前記移動式患者直立起立補助器具（１）に固定するステップと、
前記リフティングアーム（４）を前記リフティングアーム（４）の前記降下位置から前記上昇位置に弧状に移動させることによって、前記患者を前記着座位置から前記直立位置へ移行させるように、前記アクチュエータ（５）を作動させるステップと、
を備えている、方法。
【請求項１５】
移動式患者直立起立補助器具（１）であって、
水平な踏板（１２）を含むベース（２）と、
前記ベース（２）から上向きに延在しているマスト（３）であって、操縦ハンドル（６）を具備する前記マスト（３）と、
前記移動式患者直立起立補助器具（１）の降下位置と上昇位置との間において弧状に移動するように、前記マスト（３）に回動可能に連結されているリフティングアーム（４）であって、前記リフティングアーム（４）は、スリング取付点（１１）と患者ハンドル（１０）とを具備する前記リフティングアーム（４）と、
請求項１０から１２のいずれか一項に記載の下腿ストラップ（９）と、
請求項１から８のいずれか一項に記載の可撓性の支持膜と、
を備えている、移動式患者直立起立補助器具（１）。
【国際調査報告】
2020521542.tif 000023
2020521542.tif 000024
2020521542.tif 000025
2020521542.tif 000026